【手続補正書】
【提出日】平成19年10月11日(2007.10.11)
【手続補正１】
【補正対象書類名】明細書
【補正対象項目名】特許請求の範囲
【補正方法】変更
【補正の内容】
【特許請求の範囲】
【請求項1】
システムにおける異常情報を記録する異常記録装置であって、
前記システムに関する複数の特性値を検出する特性値検出手段と、
前記システムにおける異常を検出する異常検出手段と、
前記異常検出手段によって異常が検出された場合、少なくとも、前記特性値検出手段によって検出された特性値を前記異常の種別に応じて選択的に記録する第一のモードを備える記録手段とを有することを特徴とする異常記録装置。
【請求項2】
前記記録手段は、前記特性値検出手段によって検出された特性値のうち、前記異常検出手段によって検出された異常の解析に必要な特性値を選択的に記録することを特徴とする請求項1に記載された異常記録装置。
【請求項3】
さらに、前記特性値検出手段によって検出された特性値のうち、前記異常検出手段によって検出された異常の解析に必要な特性値を選択する選択手段を有し、前記記録手段は、前記選択手段によって選択された特性値を記録することを特徴とする請求項1に記載された異常記録装置。
【請求項4】
前記選択手段は、前記異常と前記特性値の関係を示すテーブルに基づき、前記特性値を選択することを特徴とする請求項3に記載された異常記録装置。
【請求項5】
前記記録手段は、前記選択手段によって選択された特性値を記録する前記第一のモードのほかに、前記特性値検出手段によって検出された全ての特性値を記録する第二のモードを有することを特徴とする請求項3または請求項4に記載された異常記録装置。
【請求項6】
システムにおける異常情報を記録する異常記録装置であって、
前記システムに関する複数の特性値を検出する特性値検出手段と、
前記システムにおける異常を検出する異常検出手段と、
前記異常検出手段によって異常が検出された場合、前記特性値検出手段によって検出された特性値を記録する記録手段と、
少なくとも、前記記録手段に記録された特性値を、前記異常検出手段によって検出された異常の種別に応じて選択的に表示器に表示する第一のモードを備える表示手段とを有することを特徴とする異常記録装置。
【請求項7】
さらに、前記記録手段に記録された特性値のうち、前記異常検出手段によって検出された異常の解析に必要な特性値を選択する選択手段を有し、前記表示手段は、前記選択手段によって選択された特性値を前記表示器に表示することを特徴とする請求項6に記載された異常記録装置。
【請求項8】
前記選択手段は、前記異常と前記特性値の関係を示すテーブルに基づき、前記特性値を選択することを特徴とする請求項7に記載された異常記録装置。
【請求項9】
前記表示手段は、前記選択手段によって選択された特性値を前記表示器に表示する前記第一のモードのほかに、前記記録手段に記録された全ての特性値を前記表示器に表示する第二のモードを有することを特徴とする請求項7または請求項8に記載された異常記録装置。
【請求項10】
さらに、前記第一のモードと前記第二のモードを切り換える切換手段を有することを特徴とする請求項5または請求項9に記載された異常記録装置。
【請求項11】
直流電力を交流電力に変換する電力変換手段と、
請求項1から請求項10の何れか一項に記載された異常記録装置とを有することを特徴とする電力変換装置。
【請求項12】
太陽電池と、
前記太陽電池から出力される直流電力を交流電力に変換する電力変換装置と、
請求項1から請求項10の何れか一項に記載された異常記録装置とを有することを特徴とする太陽光発電システム。
【請求項13】
前記異常記録装置が表示手段を有する場合、前記表示器は、前記電力変換装置の本体に備わることを特徴とする請求項12に記載された太陽光発電システム。
【請求項14】
前記異常記録装置が表示手段を有する場合、前記表示器は、前記電力変換装置に接続されている表示装置であることを特徴とする請求項12に記載された太陽光発電システム。
【請求項15】
システムにおける異常情報を記録する異常記録方法であって、
前記システムに関する複数の特性値を検出し、
前記システムにおける異常を検出し、
前記異常を検出した場合、前記検出した特性値を前記異常の種別に応じて選択的にメモリに記録することを特徴とする異常記録方法。
【請求項16】
システムにおける異常情報を記録する異常記録方法であって、
前記システムに関する複数の特性値を検出し、
前記システムにおける異常を検出し、
前記異常を検出した場合、前記検出した特性値をメモリに記録し、
前記記録した特性値を、前記検出した異常の種別に応じて選択的に表示器に表示することを特徴とする異常記録方法。
【請求項17】
コンピュータを制御して、請求項1から請求項10の何れか一項に記載された異常記録装置の各手段として機能させることを特徴とするコンピュータプログラム。
【請求項18】
請求項17に記載されたコンピュータプログラムが記録されたことを特徴とするコンピュータが読み取り可能な記録媒体。
【手続補正２】
【補正対象書類名】明細書
【補正対象項目名】０００８
【補正方法】変更
【補正の内容】
【０００８】
本発明は、システムにおける異常発生時に検出された各種特性値に基づく異常の解析を効率的にすることを目的とする。
【手続補正３】
【補正対象書類名】明細書
【補正対象項目名】００１０
【補正方法】変更
【補正の内容】
【００１０】
本発明にかかる異常記録装置は、システムにおける異常情報を記録する異常記録装置であって、前記システムに関する複数の特性値を検出する特性値検出手段と、前記システムにおける異常を検出する異常検出手段と、前記異常検出手段によって異常が検出された場合、少なくとも、前記特性値検出手段によって検出された特性値を前記異常の種別に応じて選択的に記録する第一のモードを備える記録手段とを有することを特徴とする。
【手続補正４】
【補正対象書類名】明細書
【補正対象項目名】００１１
【補正方法】変更
【補正の内容】
【００１１】
また、システムにおける異常情報を記録する異常記録装置であって、前記システムに関する複数の特性値を検出する特性値検出手段と、前記システムにおける異常を検出する異常検出手段と、前記異常検出手段によって異常が検出された場合、前記特性値検出手段によって検出された特性値を記録する記録手段と、少なくとも、前記記録手段に記録された特性値を、前記異常検出手段によって検出された異常の種別に応じて選択的に表示器に表示する第一のモードを備える表示手段とを有することを特徴とする。
【手続補正５】
【補正対象書類名】明細書
【補正対象項目名】００１２
【補正方法】変更
【補正の内容】
【００１２】
本発明にかかる電力変換装置は、直流電力を交流電力に変換する電力変換手段と、上記の異常記録装置とを有することを特徴とする。
【手続補正６】
【補正対象書類名】明細書
【補正対象項目名】００１３
【補正方法】変更
【補正の内容】
【００１３】
本発明にかかる太陽光発電システムは、太陽電池と、前記太陽電池から出力される直流電力を交流電力に変換する電力変換装置と、上記の異常記録装置とを有することを特徴とする。
【手続補正７】
【補正対象書類名】明細書
【補正対象項目名】００４９
【補正方法】変更
【補正の内容】
【００４９】
【発明の効果】
以上説明したように、本発明によれば、システムにおける異常発生時に検出された各種特性値に基づく異常の解析を効率的にすることができる。